(57)【要約】【課題】シンプルな構造で、効率よく空気中に含まれる埃やその他の塵等の粒子を空気中から除去することができる集塵装置を提供する。【解決手段】ベース連接部４１ｂと傾斜板連接部４２ｂとに挟まれた領域（接触領域）において、接触領域に案内された空気中の埃やその他の塵の粒子は、送風機２０に基づく慣性力と接触領域の円弧形状に基づく遠心力により、ベース連接部４１ｂの方へ引き寄せられる。このベース連接部４１ｂに引き寄せられた粒子は、ベース連接部４１ｂの表面を流れる水に混入し、この水とともに底板４１ａの表面を通り、端部４１ｄから収集装置４４の溝４４ｃに入り、パイプ４４ａにより貯水タンク７０に貯留される。【選択図】        図３
2004358317.tif 000002
【特許請求の範囲】
【請求項１】
水平な底板と、この底板に対して垂直な垂直板と、前記底板と前記垂直板とを曲面で連接する第１の連接部とから構成される断面略Ｌ字状のベースと、
前記底板と前記垂直板の面に挟まれた空間で前記垂直板と交差する方向に配設された上方基板と、この上方基板の下方に配設された下方基板と、前記上方基板と前記下方基板とを曲面で連接する第２の連接部とから構成された傾斜板と、
前記垂直板と前記上方基板のそれぞれの端部を含む開口の上方に配設され、前記開口から前記第１および前記第２の連接部により挟まれた領域への空気流を生じさせる空気流発生装置と、
前記上側基板に対向した側の前記垂直板の面に沿って水を流す水流発生装置と、
前記領域から前記底板方向に流れる排水を回収する回収装置と
を備え、
前記第１と第２の連接部は、ほぼ平行に配設されており、
、前記垂直板と前記上方基板との間隔は、前記第１および第２の連接部に向かうにつれて徐々に狭くなり、
前記底板と前記下側基板との間隔は、前記第１および第２の連接部から離れるにつれて徐々に広くなり、
前記空気流に含まれる塵埃は、前記ベースを流れる水に混入し、この水とともに排水として前記回収装置に回収される
ことを特徴とする集塵装置。
【請求項２】
請求項１において、
前記ベース連接部および前記傾斜板連接部は、断面が同心の円弧形状を有することを特徴とする集塵装置。
【請求項３】
請求項１において、
前記垂直板と前記上方基板との間に配設される仕切板
をさらに備えたことを特徴とする集塵装置。
【請求項４】
請求項１において、
前記水流発生装置は、前記垂直板から離間しかつ前記垂直板に対して均等に水を放出するノズルからなる
ことを特徴とする集塵装置。
【請求項５】
請求項１において、
前記水流発生装置は、一端部が前記垂直板の上端の辺に連なる水溜からなることを特徴とする集塵装置。
【請求項６】
請求項１において、
前記垂直板は、親水加工が施されている
ことを特徴とする集塵装置。
【請求項７】
請求項１において、
前記底板の端部近傍に、前記底板に対して垂直に配設されたしぶき飛散防止板をさらに備えたことを特徴とする集塵装置。
【請求項８】
請求項１において、
前記回収装置に回収された排水を前記水流発生装置に送出するポンプ
をさらに備えたことを特徴とする集塵装置。
【請求項９】
請求項３において、
溝の形状を有し、前記仕切板の前記垂直板に対向した側の面に開口端を上方に向けて配設される排水路と、
この排水路の出力端からの出力を前記垂直板を介さずに前記集塵装置外部に導出する処理部と
をさらに備えたことを特徴とする集塵装置。
【発明の詳細な説明】
【０００１】
【発明の属する技術分野】
本発明は、集塵装置に関する。
【０００２】
【従来の技術】
塗装や食品梱包時において、その周囲に存在する空気に含まれる埃やその他の塵等の粒子は、品質上または衛生上大きな問題であり、そのような場所には極力存在しないことが望ましい。そこで、従来より、そのような埃等を除去する集塵装置が開発されてきた。
【０００３】
なお、上述した従来技術は、出願人が出願時点で知る限りにおいて文献公知ではない。
また、出願人は出願時までに本発明に関連する先行技術文献を発見することはできなかった。よって、先行技術文献情報を開示していない。
【０００４】
【発明が解決しようとする課題】
しかしながら、従来の集塵装置では、空気中に含まれる埃やその他の塵等の粒子を空気中からほぼ完全に除去するには、フィルタ等の消耗品や複雑な構造が必要であった。したがって、集塵装置の性能を維持するためには、多大な費用が必要であった。
また、従来のフィルタ式集塵装置では、フィルタに埃や塵等が詰まると、圧力損失が起こって吸引力が落ちてしまうため、フィルタの掃除や交換を適宜行わなければならず、とても使い勝手が悪かった。
さらに、従来の湿式集塵機では、構造が複雑で多量の水を消費するため、限られた用途、条件でしか使用できなかった。
そこで本発明は、シンプルな構造で、ほぼ完全に埃やその他の塵等の粒子を空気中から除去することができる集塵装置を提供することを目的とする。
【０００５】
【課題を解決するための手段】
上述したような課題を解決するために本発明にかかる集塵装置は、水平な底板と、この底板に対して垂直な垂直板と、底板と垂直板とを曲面で連接する第１の連接部とから構成される断面略Ｌ字状のベースと、底板と垂直板の面に挟まれた空間で垂直板と交差する方向に配設された上方基板と、この上方基板の下方に配設された下方基板と、上方基板と下方基板とを曲面で連接する第２の連接部とから構成された傾斜板と、垂直板と上方基板のそれぞれの端部を含む開口の上方に配設され、開口から第１および第２の連接部により挟まれた領域への空気流を生じさせる空気流発生装置と、上側基板に対向した側の垂直板の面に沿って水を流す水流発生装置と、領域から底板方向に流れる排水を回収する回収装置とを備え、第１と第２の連接部は、ほぼ平行に配設されており、垂直板と上方基板との間隔は、第１および第２の連接部に向かうにつれて徐々に狭くなり、これにより加速された空気流が曲面で遠心力と慣性力が付加されて底板に衝突し、底板と下側基板との間隔は、第１および第２の連接部から離れるにつれて徐々に広くなり、空気流に含まれる塵埃は、第ベースを流れる水に混入し、この水とともに排水として回収装置に回収されることを特徴とする。この集塵装置によれば、空気流発生装置により取り込まれた空気は、垂直板と上方基板に挟まれた領域から底板と下方基板に挟まれた領域を通り、集塵装置外部に放出される。
【０００６】
【発明の実施の形態】
以下、図面を参照して本発明の実施の形態について詳細に説明する。
図１および図２によく示されるように、全体を符号１で表す本実施の形態にかかる集塵装置は、この集塵装置１の各構成要素が所定の位置に取り付けられるフレーム１０と、このフレーム１０の上方に配設され、集塵装置の周囲に存在する埃やその他の塵などを空気とともに集塵装置１内部に取り込む送風機２０と、フレーム１０における送風機２０の下方に配設され、この送風機２０から取り込まれる埃やその他の塵を含む空気を整流する整流格子３０と、フレーム１０における整流格子３０の下方に配設され、この整流格子３０から送出されてくる空気を水と接触させ、空気中に含まれる埃やその他の塵を水に吸着または混入させる集塵部４０と、フレーム１０における集塵部４０の下方に配設され、この集塵部４０に配設されたノズル４５に水を送出するポンプ５０と、このポンプ５０と連なって配設される自給タンク６０と、フレーム１０における集塵部４０の下方に配設され、集塵部４０から出力される埃やその他の塵が含まれる排水を貯留する貯水タンク７０とから構成される。
【０００７】
フレーム１０は、例えば金属等からなる棒状の部材が組み合わされることにより形成された直方体状の形状を有する。このようなフレーム１０には、必要に応じて棒状の部材が各所に張り巡らされており、これにより集塵装置１の各構成要素を所定の場所に配設することができる。なお、フレーム１０の形状は、直方体状に限定されず、適宜自由に変形・変更することができる。
また、図３に示す後述する吹出口４０ｂを除いたフレーム１０の周囲は、例えば後述するカバー４６のように、金属や樹脂などからなる板材等により覆われるようにしてもよい。また、フレーム１０の上部は、送風機２０を保護する例えばメッシュ状の通気性のよい保護材などが配設されてもよい。
【０００８】
送風機２０は、空気流発生装置として機能し、公知のファンや送風機等から構成され、集塵装置１の周囲に存在する埃やその他の塵などを含む空気を、集塵装置１の上部から集塵装置１内部に取り込み、整流格子３０に送出する。なお、図１または図２において、送風機２０が２つ設けられているが、送風機２０の数量はこれに限定されず、適宜自由に設定することができる。また、送風機２０は、集塵装置１の周囲に存在する埃やその他の塵を含む空気を集塵装置１の上部のみならず送風機２０の側面部付近から集塵装置１内部に取り込むようにしてもよい。
【０００９】
整流格子３０は、その内部に例えばｈｏｎｅｙｃｏｍｂ構造などが設けられた公知の整流格子から構成される。これにより送風機２０から取り込まれた空気は、整流格子３０により整流され、全体としてほぼ均一な風速および風圧で集塵部４０に送出される。
【００１０】
集塵部４０は、図３によく示されるように、水平な底板４１ａに断面が円弧形状のベース連接部４１ｂを介して垂直上方に垂直板４１ｃが連なる断面略Ｌ字状の基板からなり、底板４１ａおよび垂直板４１ｃのそれぞれのベース連接部４１ｂに連なる側と反対側の端部には底板４１ａと垂直板４１ｃに挟まれる側（内側）と反対方向に略垂直に折曲された端部４１ｄ、４１ｅが形成され、底板４１ａと垂直板４１ｃとがそれぞれフレーム１０の構成する直方体形状の底面または一側面に対向しかつ平行に配設されるベース４１と、下方基板４２ａから傾斜板連接部４２ｂを介して上方基板４２ｃが連接し、下方基板４２ａと上方基板４２ｃのそれぞれの端部に向かうにしたがって徐々に開口する断面略Ｕ字状の基板からなり、傾斜板連接部４２ｂの下方基板４２ａと上方基板４２ｃとに挟まれた側（内側）の反対側の面をベース連接部４１ｂの内側の面にほぼ平行に対向させ、かつ傾斜板連接部４２ｂから離れるにつれて下方基板４２ａと上方基板４２ｃのそれぞれが底板４１ａまたは垂直板４１ｃから離間するように配設される傾斜板４２と、上側基板４３ａの一端から連なる端部４３ｂが端部４１ｅと離間しかつ略平行に対向し、上側基板４３ａの他端から連なる下側基板４３ｃの端部が垂直板４１ｃの内側の面の下方部分に対向しかつ離間するように垂直板４１ｃと上方基板４２ｃとの間に配設され、下側基板４３ｃの垂直板４１ｃと対向する側の面の下方に排水路として機能する溝４３ｄが形成された断面略くの字状の仕切板４３と、底部にパイプ４４ａが接続され、底板４１ａの外側の面に対向しない側の端部から鉛直上方にしぶき飛散防止板４４ｂが形成され、端部４１ｄの両面に断面略Ｕ字状の溝４４ｃの内部側面を対向させた回収装置４４と、仕切板４２の垂直板４１ｃと対向する側の面に少なくとも１つ設けられる水流装置としての機能を実現するノズル４５とから構成される。なお、集塵部４０の両側面、つまり図３に示される側およびこの側に対向する側は、板材等からなるカバー４６により気密性を保持した状態で覆われている。
ここで便宜上、上方基板４２ｃの端部と、端部４３ｂおよびカバー４６とから構成される開口を取入口４０ａ、下方基板４２ａの端部と、しぶき飛散防止板４４ｂの端部およびカバー４６とから構成される開口を吹出口４０ｂと呼ぶこととする。
【００１１】
ポンプ５０は、公知のポンプからなり、図２によく示されるように、一端が貯水タンク７０に接続されたパイプ５１と、一端がノズル４５に接続され、公知のフィルター５２が設けられているパイプ５３と接続されている。このようなポンプ５０は、貯水タンク７０に貯留された排水の上澄みを、ノズル４５に送出する。なお、ポンプ５０は、公知のタンクからなる自給タンク６０にも接続されており、この自給タンク６０に貯留されている水をノズル４５に送出することもできる。
【００１２】
貯水タンク７０は、公知のタンクからなり、図２に示す収集装置４４のパイプ４４ａから送出されてくる排水およびこの排水に含まれる埃やその他の塵等を貯留する。この貯水タンク７０に送出されてくる排水に含まれる埃やその他の塵等は、貯水タンク７０の底部に沈殿する。このため、貯水タンク７０の底部には、図示しない排水口が設けられており、この排水口により貯水タンク７０の底部に沈殿した埃やその他の塵等を適宜外部に排出することができる。また、貯水タンク７０に貯留された排水の上澄みは、埃やその他の塵等が貯水タンク７０の底部に沈殿するために埃やその他の塵等がほとんど含まれていないので、パイプ５１を介してポンプ５０により吸い上げられ、再びノズル４５に送出される。さらに、貯水タンク７０には、図示しないレベルセンサが設けられており、このレベルセンサにより貯水タンク７０に貯留される排水の量が監視される。
【００１３】
上述した送風機２０、ポンプ５０およびレベルセンサ等は、図示しないマイクロプロセッサ等からなる制御装置に接続され、この制御装置により駆動制御が行われる。この駆動制御の状態は、例えば液晶モニタ等により表示するようにしてもよい。
【００１４】
次に、本実施の形態にかかる集塵装置１の動作について説明する。
集塵装置１は、図１および図３によく示されるように、送風機２０により集塵装置１の周囲に存在する埃やその他の塵等を含む空気を整流格子３０に取り込み、この整流格子３０により取り込まれた空気を全体としてほぼ均一な風速および風圧にして取入口４０ａに送出する。
【００１５】
集塵装置１は、図３によく示されるように、取入口４０ａに送出されてきた空気を、上方基板４２ｃと仕切板４３とに挟まれた領域からベース連接部４１ｂと傾斜板連接部４２ｂとに挟まれた領域（接触領域）に案内する。
このとき、集塵装置１は、ノズル４５から水を放出している。このノズル４５は、垂直板４１ｃに向かって、この垂直板４１ｃの横方向（垂直板４１ｃの一面において鉛直方向に直交する方向）に一様に水を拡散させて放出する。このノズル４５から放出された水は、垂直板４１ｃの内側の表面に沿ってベース連接部４１ｂの内側の表面を流れ、底板４１ａの内側の表面を通り、端部４１ｄをつたって収集装置４４の溝４４ｃに入り、パイプ４４ａにより貯水タンク７０に貯留され、再びポンプ５０によりノズル４５に送出される。このように、本実施の形態にかかる集塵装置１は、その内部に水を循環させる。
上述したように、仕切板４３と垂直板４１ｃとに挟まれた領域からノズル４５により水を放出することにより、本実施の形態にかかる集塵装置１は、取入口４０ａから送出されてくる空気によってノズル４５から放出される水が集塵装置４０内部または吹出口４０ｂから飛散するのを防ぐことができる。
なお、溝４４ｃのしぶき飛散防止板４４ｂが設けられた側の端部は、他端よりも鉛直上方に高い位置まで延在している。これにより、ノズル４５から放出される水量が多い場合でも、その水が吹出口４０ｂから集塵装置１外部に溢れることを防ぐことができる。
【００１６】
図４において矢印で示す空気は、接触領域を通り、底板４１ａと下方基板４２ａとに挟まれた領域に案内される。このとき、接触領域に案内された空気中の埃やその他の塵などの粒子は、送風機２０に基づく慣性力と接触領域の円弧形状に基づく遠心力により、ベース連接部４１ｂの方へ引き寄せられる。このベース連接部４１ｂに引き寄せられた粒子は、ベース連接部４１ｂの表面を流れる水に混入し、この水とともに底板４１ａを通り、端部４１ｄから収集装置４４の溝４４ｃに入り、パイプ４４ａにより貯水タンク７０に貯留され、この貯水タンク７０の底部に沈殿し、適宜排出口から集塵装置１外部に排出される。
このように、集塵装置１は、接触領域に案内された空気中の埃やその他の塵等の粒子に慣性力と遠心力を働かせ、ベース連接部４１ｂの表面を流れる水の方に引き寄せることにより、空気中の埃やその他の塵等の粒子を効果的に除去することができる。
また、本実施の形態にかかる集塵装置１は、その装置内に水を循環させて、この水に空気中の埃やその他の塵等の粒子等を吸着または混入させることにより、この粒子等を収集するという単純な構造を有するが、実験によると、２０μｍ以上の粒径の粒子の捕集率が１００％を達成したという優れた効果を有する。
さらに、本実施の形態にかかる集塵装置１は、動作の際に消耗するのは水のみである。このように安価な水しか消耗しないため、本実施の形態にかかる集塵装置１は、低コスト化を実現し、安定した集塵能力を維持できる。
【００１７】
なお、ベース連接部４１ｂと傾斜板連接部４２ｂの円弧形状は、同心であることが望ましい。ベース連接部４１ｂと傾斜板連接部４２ｂとの円弧形状を同心にすることにより、接触領域を通過する空気中の埃やその他の塵の粒子は、効果的に遠心力が付加され、ベース連接部４１ｂの方へ引き寄せられる。
【００１８】
また、図３によく示されるように、垂直板４１ｃおよび仕切板４３と上方基板４２ｃとから構成される領域が、取入口４０ａから接触領域に向かって狭くなるように構成されているため、取入口４０ａから送出されてくる空気の流速が接触領域付近において早くなる。これにより、その空気中に含まれる埃やその他の塵などの粒子は、遠心力が接触領域において大きく作用するので、結果として効果的にベース連接部４１ｂの方へ引き寄せられる。
【００１９】
さらに、前述したように、ノズル４５は、垂直板４１ｃの横方向に一様に拡がった状態で水を流すことにより、ベース連接部４１ｂの表面を流れる水も横方向に一様に拡がった状態となるので、ベース連接部４１ｂの方へ引き寄せられる接触領域を通過する空気中の埃やその他の塵などの粒子が漏れなく水と接触させることができ、結果として集塵効果が向上させることができる。
【００２０】
接触領域において埃やその他の塵等の粒子が除去された空気は、底板４１ａと下方基板４２ａとに挟まれた領域を通り、吹出口４０ｂから集塵装置１外部に放出される。図３によく示されるように、接触領域から吹出口４０ｂにかけて底板４１ａと下方基板４２ａとに挟まれた領域が徐々に開口するようにすることにより、吹出口４０ｂから放出される空気の風圧を低下させ、吹出口４０ｂからしぶきが飛散することを防ぐことができる。
【００２１】
なお、ノズル４５から放出される水の流量や送風機２０による風量等の関係により、吹出口４０ｂからしぶきが集塵装置１外部に放出される場合がある。これを防ぐため、収集装置４４の溝４４ｃの一端には、しぶき飛散防止板４４ｂが設けられている。これにより、集塵装置１は、吹出口４０ｂからしぶきが放出されるのを防ぐことができる。
【００２２】
また、仕切板４３の下側基板４３ｃの下端から水滴が滴下すると、この水滴が送風機２０により取入口４０ａから送出されてくる空気に巻き上げられ、吹出口４０ｂから集塵装置１外部に放出される恐れがある。
これを防ぐために、垂直板４１ｃには、水と接触する側の面に、親水効果を発生させるまたは表面に微細な凹凸をつける等の水が垂直板４１ｃに吸着する濡れ加工が施されている。これにより、ノズル４５から放出される水は、仕切板４３の方へはねるのを防止し、垂直板４１ｃに沿ってベース連接部４１ｂの方へ案内されるので、下側基板４３ｃの下端に水滴がつかない。
さらに、図３によく示されるように、下側基板４３ｃの垂直板４１ｃに対向する側の面の下方付近には、溝４３ｄが形成されている。この溝４３ｄは、垂直板４１ｃに接触せずに、カバー４６から貯水タンク７０に導出されている。これにより、下側基板４３ｃの垂直板４１ｃに対向する側の面に付着した水滴等は、溝４３ｄにより貯水タンク７０に送出されるので、下側基板４３ｃの下端に水滴がつかない。
また、仕切板４３は、下側基板４３ｃの下端が垂直板４１ｃの表面に沿って流れる水に接触しないように配設される。これによっても、下側基板４３ｃの下端に水滴がつくことを防ぐことができる。
【００２３】
なお、ポンプ５０は、集塵装置１内部を循環させる水が動作条件等により徐々に蒸発することなどにより、貯水タンク７０に設けられたレベルセンサが貯水タンク７０内部に貯留されている水の量が所定の値より少なくなったことを検出すると、自給タンク６０から水をノズル４５に送出する。このような構成にすることにより、集塵装置１は、内部を循環する水の量を所定の量に保ち、結果として安定した運転を行うことができる。
【００２４】
次に、図５を参照して、水流装置の変形例について説明する。
水流装置８０は、垂直板４１ｃの上端部４１ｆを含む上方部分を一側面とする断面略Ｕ字状の溝８１と、この溝８１内部に設けられ、ポンプ５０から供給される水を溝８１内部に放出するノズル８２とから構成される。溝８１の垂直板４１ｃに対向する側の面は、垂直板４１ｃの上端部よりも鉛直上方に高い位置まで延在している。また、溝８１の横方向は、カバー４６により気密状態を保持した状態で覆われており。
このような水流装置８０は、ノズル８２から放出される水を溝８１内部に貯留し、かつ溝８１からその水を溢れさせることにより、垂直板４１ｃの内側の面に水を沿わせた状態で流れさせる。これにより、水流装置８０は、仕切板４３の方へ水がはねるのを防ぐことができる。
【００２５】
なお、上端部４１ｆを構成する辺は、水平に構成されている。これにより、溝８１から溢れる水は、垂直板４１ｃの横方向に一様に拡がった状態で垂直板４１ｃに沿って流れる。
また、上端部４１ｆを構成する辺には、連続した複数の溝を形成するようにしてもよい。これにより、溝８１から溢れる水は、上端部４１ｆを構成する辺に形成された溝を通過する際に表面張力が働き、垂直板４１ｃの横方向に一様に拡がった状態で垂直板４１ｃに沿って流れる。
このような構成を採ることにより、水流装置８０は、垂直板４１ｃの横方向に一様に拡がった状態で水を流すことでき、ベース連接部４１ｂの表面を流れる水も横方向に一様に拡がった状態となるので、ベース連接部４１ｂの方へ引き寄せられる接触領域を通過する空気中の埃やその他の塵の粒子を漏れなく水と接触させることができるため、結果とし集塵効果を向上させることができる。
【００２６】
また、水流装置８０は、垂直板４１ｃの上端部４１ｆから断面が鉛直上方の方に突出した円弧形状の曲面を有する連接部を介して溝８１に連なるようにしてもよい。そのような連接部を介することによっても、溝８１から溢れる水は、垂直板４１ｃの横方向に一様に拡がった状態で流れる。
【００２７】
なお、本実施の形態において、底板４１ａと下方基板４２ａ、垂直板４１ｃと上方基板４２ｃ、ベース連接部４１ｂと傾斜板連接部４２ｂおよび仕切板４３と垂直板４１ｃとの間隔は、送風機２０の風量や集塵部４０を流れる水量を勘案して適宜自由に設定することができる。同様に、底板４１ａ、垂直板４１ｃ、上方基板４２ｃ、下方基板４２ａおよび仕切板４３の取り付け角度も適宜自由に設定することができる。さらに、ベース連接部４１ｂと傾斜板連接部４２ｂの曲面形状も適宜自由に設定することができる。
【００２８】
【発明の効果】
以上説明したように、本発明によれば、外部から取り込んだ空気を、垂直板と上方基板とに挟まれた領域からベース連接部と傾斜板連接部とで挟まれた領域に送出すると、垂直板と上方基板とに挟まれた領域がベース連接部と傾斜板連接部とで挟まれた領域に向けて収束する形状およびベース連接部および傾斜板連接部の曲面形状により、空気中に含まれる埃やその他の塵等の粒子に慣性力および遠心力が働き、その粒子がベース連接部に引き寄せられ、このベース連接部の表面を流れる水に混入するというシンプルな構造で、効果的に空気中に含まれる埃やその他の塵の粒子を効率よく空気から除去することができる。
【００２９】
また、本発明によれば、ベース連接部と傾斜板連接部を同心の円弧形状とすることにより、ベース連接部と傾斜板連接部とで挟まれた領域を通過する空気中の埃やその他の塵の粒子に効果的に遠心力が付加されるので、集塵効果が向上する。
さらに、本発明によれば、水しか消耗しないので、低コスト化を実現することができる。
【００３０】
また、本発明によれば、垂直板と上方基板との間に仕切板を設け、仕切板とベースとの隙間を水流のみが通過できる間隔に保つことにより、水流装置から放出される水が集塵装置内部および外部に飛散することを防ぐことができる。
さらに、本発明によれば、ノズルまたは水溜を水流発生装置として機能させることにより、垂直板の上方基板に対向するの面に対して一様に水を流れさせることができるので、ベース連接部と傾斜板連接部とで挟まれた領域を通過する空気中の埃やその他の塵の粒子が漏れなく水と接触し、結果として集塵効果が向上させることができる。
【００３１】
また、本発明によれば、垂直板に濡れ加工を施すことにより、水流発生装置から放出される水が一様に垂直に広げることが可能となり、水流がないことによる集塵効果の低下を防ぐことができ、結果として水流発生装置により放出される水が集塵装置内部および外部に飛散することを防ぐことができる。
さらに、本発明によれば、しぶき防止板を設けることにより、水流発生装置により放出される水が集塵装置外部に飛散することを防ぐことができる。
また、本発明によれば、排水路を設けることにより、傾斜板の下端部に水滴が付着することを防ぐことができるので、水流発生装置により放出される水が集塵装置外部に飛散することを防ぐことができる。
【図面の簡単な説明】
【図１】本発明にかかる集塵装置の外観を示す斜視図である。
【図２】本発明にかかる集塵装置の分解図である。
【図３】集塵部４０の断面図である。
【図４】接触領域の断面図である。
【図５】水流発生装置８０の構成を示す図である。
【符号の説明】
１…集塵装置、１０…フレーム、２０…送風機、３０…整流格子、４０…集塵部、４０ａ…取入口、４０ｂ…吹きだし口、４１…ベース、４１ａ…底板、４１ｂ…ベース連接部、４１ｃ…垂直板、４１ｄ、４１ｅ…端部、４１ｆ…上端部、４２…傾斜板、４２ａ…下方基板、４２ｂ…傾斜板連接部、４２ｃ…上方基板、４３…仕切板、４３ａ…上側基板、４３ｂ…端部、４３ｃ…下側基板、４３ｄ…溝、４４…収集装置、４４ａ…パイプ、４４ｂ…しぶき防止板、４４ｃ…溝、４５…ノズル、４６…カバー、５０…ポンプ、５１…パイプ、５２…フィルター、５３…パイプ、６０…タンク、７０…貯水タンク、８０…水流発生装置、８１…溝、８２…ノズル。
【図１】
2004358317.tif 000003
【図２】
2004358317.tif 000004
【図３】
2004358317.tif 000005
【図４】
2004358317.tif 000006
【図５】
2004358317.tif 000007